(57)【特許請求の範囲】
【請求項１】
演算モードをタイマー設定モードに切り替えるためのタイマー設定モード選択手段と、
前記タイマー設定モード選択手段とは独立しており、前記タイマー設定モードから前記演算モードに復帰させるための演算モード復帰手段と、
前記演算モードにおける演算式データ、及びタイマー設定モードにおけるタイマー時間データを入力するための入力手段と、
前記入力手段により入力された演算式データの入力結果に基づき、演算処理を実行するための演算手段と、
前記入力手段により入力されたタイマー時間データの入力結果に基づき、独立してタイマー処理を実行するためのタイマー手段と、
前記演算式データ及び演算結果を表示する演算表示手段と、
前記タイマー設定モードで設定されたタイマー時間を経過すると、アラーム音を発生させるアラーム音発生手段とを備え、
前記タイマー手段は、前記演算モードにおいて、前記タイマー処理を独立して実行させ、かつ、前記タイマー設定モードで設定されたタイマー時間を経過した場合には、前記アラーム音発生手段に前記アラーム音を発生させるものであり、
前記タイマー設定モード選択手段は、前記演算モードにおいて前記入力手段による演算式データの入力中、又は前記演算処理の実行中でも、前記タイマー設定モードに切り替え、当該演算式データ及び演算結果を消失させることなく、当該入力手段を用いてタイマー設定、又は当該タイマー設定の解除若しくは変更を行い、
前記演算モード復帰手段は、前記タイマー設定、又は当該タイマー設定の解除若しくは変更が行われた後に、前記演算式データ及び演算結果を消失させることなく、演算モードに復帰させるものであり、
前記演算表示手段には、前記演算モードにおいて前記演算式データ及び演算結果が表示されている場合にも、タイマー時間及びタイマーの残り時間を表示するタイマー表示部が設けられているタイマー機能付き電子式計算機。
【発明の詳細な説明】
【技術分野】
【０００１】
本発明は、演算と独立して操作することが可能なタイマー機能を有するタイマー機能付き電子式計算機に関する。
【背景技術】
【０００２】
従来、電卓などの電子計算機には、例えば、アラーム、カウントダウン及びストップウォッチを備えた多機能電卓がある（例えば、下記特許文献１）。当該考案によれば、多機能電卓だけを常時携行しておくことにより、カード型電卓の他に腕時計やストップウォッチ、懐中電灯などの多くの種類の計器類を同時に持ち運ばなくても、点滴処置や暗所照明などの看護ないし介護に必要な多くの処置を行うことが可能になるとされている。
【０００３】
しかしながら、前記従来の多機能電卓では、例えば、アラーム機能ないしカウントダウン機能を実行させながら、並行して演算処理を行うことができないという問題点がある。
【先行技術文献】
【特許文献】
【０００４】
【特許文献１】実用新案登録第３１５６９０２号公報
【発明の概要】
【発明が解決しようとする課題】
【０００５】
本発明は前記問題点に鑑みなされたものであり、その目的は、タイマー機能を実行させながら、並行して演算処理を行うことが可能なタイマー機能付き電子式計算機を提供することにある。
【課題を解決するための手段】
【０００６】
本発明のタイマー機能付き電子式計算機は、前記の課題を解決する為に、演算モードをタイマー設定モードに切り替えるためのタイマー設定モード選択手段と、前記演算モードにおける演算式データ、及びタイマー設定モードにおけるタイマー時間データを入力するための入力手段と、前記入力手段により入力された演算式データの入力結果に基づき、演算処理を実行するための演算手段と、前記入力手段により入力されたタイマー時間データの入力結果に基づき、独立してタイマー処理を実行するためのタイマー手段と、前記演算式データ及び演算結果を表示する演算表示手段と、前記タイマー設定モードで設定されたタイマー時間を経過すると、アラーム音を発生させるアラーム音発生手段とを備え、前記タイマー手段は、前記演算モードにおいて、前記タイマー処理を独立して実行させ、かつ、前記タイマー設定モードで設定されたタイマー時間を経過した場合には、前記アラーム発生手段に前記アラーム音を発生させるものであり、前記演算表示手段には、前記演算モードにおいて、タイマー時間及びタイマーの残り時間を表示するタイマー表示部が設けられていることを特徴とする。
【０００７】
前記の構成に於いて、前記タイマー設定モード選択手段は、前記演算モードにおいて前記入力手段による演算式データの入力中、又は前記演算処理の実行中でも、前記タイマー設定モードに切り替え、当該入力手段を用いてタイマー設定を行うものであることが好ましい。
【０００８】
前記の構成に於いて、前記タイマー設定モードにおいて、タイマー設定が行われた後に、当該タイマー設定モードから前記演算モードに復帰させるための演算モード復帰手段を備えることが好ましい。
【発明の効果】
【０００９】
本発明によれば、入力手段により入力されたタイマー時間データの入力結果に基づき、タイマー処理を実行するためのタイマー手段を備えており、当該タイマー手段は演算モードにおいてもタイマー処理を並行して実行させることができる。そのため、例えば、演算処理の実行中であっても、設定したタイマー時間にアラーム音を発生させることが可能になる。すなわち、本発明の電子式計算機であると、通常の演算処理機能に加えて当該演算処理と並行して実行させることが可能なタイマー機能が設けられているので、操作性及び利便性に優れている。また、本発明は、演算表示手段に、タイマー時間及びタイマーの残り時間を表示するためのタイマー表示部が設けられているので、タイマー時間又はタイマーの残り時間を確認しながら演算操作を行うことができる。
【図面の簡単な説明】
【００１０】
【図１】本発明の実施の一形態に係るタイマー機能付き電子式計算機を模式的に表す平面図である。
【図２】前記タイマー機能付き電子式計算機の電子回路の構成を示すブロック図である。
【図３】前記タイマー機能付き電子式計算機におけるタイマー設定処理を説明するためのフローチャート図である。
【図４】前記タイマー機能付き電子式計算機におけるタイマー設定の変更・解除処理を説明するためのフローチャート図である。
【図５】前記タイマー機能付き電子式計算機におけるタイマー処理を説明するためのフローチャート図である。
【発明を実施するための形態】
【００１１】
本発明の実施の一形態について、図１〜図５に基づき以下に説明する。図１は、本発明の実施の一形態に係るタイマー機能付き電子式計算機を模式的に表す平面図である。図２は前記タイマー機能付き電子式計算機の電子回路の構成を示すブロック図である。図３は、前記タイマー機能付き電子式計算機におけるタイマー設定処理を説明するためのフローチャート図である。図４は、前記タイマー機能付き電子式計算機におけるタイマー設定の変更・解除処理を説明するためのフローチャート図である。図５は、前記タイマー機能付き電子式計算機におけるタイマー処理を説明するためのフローチャート図である。
【００１２】
図１に示すように、タイマー機能付き電子式計算機（以下、「電子式計算機」という。）１０は、その表面に、入力手段としてのキー入力部１１と、演算表示手段としての演算表示部１２とを備える。キー入力部１１は、数字入力キー群１３、演算機能キー群１４、メモリ機能キー群１５、並びにクリア及び付加機能キー群１６を備える。また、電子式計算機１０は、タイマー機能を操作するためのタイマー機能キー群１７を備える。
【００１３】
数字入力キー群１３には、「０」〜「９」までのテンキー、「００」キー及び「・」キーが設けられている。これらのキーを入力することにより、数字等の入力が可能になる。
【００１４】
演算機能キー群１４には、四則演算を行うための「＋」キー、「−」キー、「×」キー、「÷」キー及び「＝」キーが設けられている。また、百分率計算を行うための「％」キー、平方根演算を行うための「√」キーも設けられている。これらのキーを選択することにより演算処理を可能にする。尚、演算機能キー群１４においては、その他の演算を実行するためのキーが設けられていてもよい。
【００１５】
メモリ機能キー群１５には、表示されている数値をメモリに記憶されている数値に足す（プラスの数値で入力）ための「Ｍ＋」（メモリープラス）キー、引く（マイナスの数値で入力）ための「Ｍ−」（メモリーマイナス）キー、メモリに記憶されている数値を呼び戻すための「ＲＭ」（リターンメモリー）キー、メモリに記憶されている数値を呼び戻すと同時にメモリー内容を消去するための「ＣＭ」（クリアメモリー）キー、「ＧＴ」（グランドトータル）キー、「税込み」キー、「税抜き」キー及び「税率設定」キーが設けられている。
【００１６】
クリア及び付加機能キー群１６には、「ＣＡ」（電源ＯＮ・ＯＦＦ）キー、演算データを全て消去（初期化）するための「Ｃ」（計算全クリアー）キー、「＋／−」キー及び「→」（末尾消去）キーが設けられている。
【００１７】
タイマー機能キー群１７には、タイマー設定モード選択手段としてのタイマー設定ボタン１７ａと、演算モード復帰手段としての演算復帰ボタン１７ｂと、アラーム音選択ボタン１７ｃとが設けられている。タイマー設定ボタン１７ａは、演算モードをタイマー設定モードに切り替えるためのキーである。本実施の形態に於いて、タイマー設定モードは、タイマー設定ボタン１７ａを選択した場合にのみ切り替えられる。また、演算復帰ボタン１７ｂは、タイマー設定モードにおいて、タイマー設定が行われた後に、当該タイマー設定モードから前記演算モードに復帰させるためのボタンである。アラーム音選択ボタン１７ｃは、スピーカ３５から出力されるアラーム音を、例えば、メロディー音や通常の電子音に切り替えるためのものである。
【００１８】
演算表示部１２は、数字表示エリア１２ａと、タイマー表示部としてのタイマー表示エリア１２ｂと、演算子・ファンクション表示エリア１２ｃとを備える。数字表示エリア１２ａは、演算式データを入力する際に入力された数字や通常演算の結果を表示する。タイマー表示エリア１２ｂは、タイマー時間及びタイマーの残り時間を表示する。演算子・ファンクション表示エリア１２ｃは、演算式データを入力する際に入力された演算命令の記号（＋、−、×、÷、＝）や、メモリ機能キー群１５により入力された各ファンクション機能等を表示する。また、演算子・ファンクション表示エリア１２ｃは、タイマー時間やタイマーの残り時間を表示させることもできる。
【００１９】
本実施の形態の電子式計算機１０は、プログラムの命令に従って電子式計算機１０全体の制御を行う中央演算処理装置（制御部）３１と、制御部３１で処理する前記プログラムを記憶した読み出し専用メモリ（ＲＯＭ）３２と、記憶手段としてデータを記憶する、随時書き込み読み出しメモリ（ＲＡＭ）３３と、データ入力やモードの切換などを行うためのキー入力部１１と、制御部３１から出力される数値データや各種メッセージデータを表示するための表示駆動回路（図示しない）および演算表示部１２と、アラーム音発生手段としての増幅回路３４及びスピーカ３５とを備える。
【００２０】
ＲＯＭ３２には、電子式計算機１０全体の動作を制御するシステムプログラムが格納されている。さらに、ＲＯＭ３２は、演算処理プログラム、タイマー設定処理プログラム、タイマー処理プログラム及びタイマー処理割り込みプログラム等の各種のサブプログラムも予め記憶されている。
【００２１】
制御部３１は、ＲＯＭ３２に格納されている種々のプログラムを実行する。例えば、制御部３１は、ＲＯＭ３２に格納されている演算処理プログラムを読み出して実行することにより、演算手段として演算処理を行う。また、制御部３１は、ＲＯＭ３２に格納されているタイマー処理プログラム及びタイマー処理割り込みプログラムを読み出して実行することにより、タイマー手段としてタイマー処理を行う。
【００２２】
ＲＡＭ３３は、キー入力部１１から入力された数字データや演算命令（演算子）等に基づき、制御部３１が演算するために、当該数字データ等を一時記憶する演算用レジスタの領域と、演算結果（詳細については後述する。）やタイマー時間を一時記憶するメモリレジスタの領域と、演算表示部１２に表示する数字等のデータやタイマー時間、タイマー残り時間を記憶する表示レジスタの領域等とを有する。
【００２３】
スピーカ３５は、制御部３１から出力される告知音信号やアラーム音信号が増幅回路３４により増幅されたものを、アラーム音等として放音する。
【００２４】
次に、本実施の形態の電子式計算機１０の動作について、図３〜図５のフローチャートを用いて説明する。
【００２５】
先ず、タイマー設定処理について図３に基づき説明する。
電子式計算機１０が演算モードであるか、タイマー設定モードであるかを判断する（ステップＳ１０１）。演算モードである場合、タイマー設定ボタン１７ａを選択すると、制御部３１は演算モードからタイマー設定モードに切り替える（ステップＳ１０２）。すでにタイマー設定モードの状態にあるときは、そのまま当該モードが維持され、ステップＳ１０３に進む。
【００２６】
次に、キー入力部１１の数字入力キー群１３を用いて、タイマー時間の入力を行う（ステップＳ１０３）。入力されたタイマー時間は表示レジスタに保存される。さらに、表示レジスタに保存されると、タイマー時間が演算表示部１２のタイマー表示エリア１２ｂに、入力されたタイマー時間が表示される。続いて、タイマー時間の入力後、「＝」キーを入力すると、タイマー時間の設定が終了し（ステップＳ１０４）、入力されたタイマー時間のデータがＲＡＭ３３のメモリレジスタに保存され（ステップＳ１０５）、制御部３１によるタイマー処理の実行が開始される。タイマー設定が終了していない場合は、引き続きステップＳ１０３でタイマー時間の入力を続ける。
【００２７】
このように、本実施の形態のタイマー設定処理は、演算モードの途中でも実行可能であり、操作性に優れている。尚、演算モードに復帰したい場合は、演算復帰ボタン１７ｂを選択することにより可能である。また、アラーム音の設定は、アラーム音選択ボタン１７ｃにより可能である。アラーム音選択ボタン１７ｃを押下する毎に、メロディー音や通常の電子音に切り替えることができ、最後にアラーム音選択ボタン１７ｃを押下した際に出力された音がアラーム音として設定される。さらに、アラーム音の音量についても、ボリュームつまみ等の音量調整部（図示しない）を設けることにより可能である。
【００２８】
次に、タイマー設定の解除・変更処理について、図４に基づき説明する。
先ず、電子式計算機１０が演算モードであるか、タイマー設定モードであるかを判断する（ステップＳ２０１）。演算モードである場合、タイマー設定ボタン１７ａを選択すると、制御部３１は演算モードからタイマー設定モードに切り替える（ステップＳ２０２）。すでにタイマー設定モードの状態にあるときは、そのまま当該モードが維持され、ステップＳ２０３に進む。
【００２９】
次に、タイマー設定の解除を行う（ステップＳ２０３）。解除は、例えば、タイマー設定ボタン１７ａを２回押下することにより実行される。すなわち、タイマー設定ボタン１７ａが２回押下されると、制御部３１がスピーカ３５からアラーム音を出力させる（ステップＳ２０４）。さらに、制御部３１は、メモリレジスタ及び表示レジスタに記憶されているタイマー時間等のデータを消去する（ステップＳ２０５）。これにより、タイマー処理の実行が停止されると共に、演算表示部１２のタイマー表示エリア１２ｂに表示されていたタイマー時間等の表示が消える。
【００３０】
続いて、タイマー時間の再設定を行う場合、キー入力部１１の数字入力キー群１３を用いて、タイマー時間の入力を行う（ステップＳ２０６、Ｓ２０７）。入力されたタイマー時間は表示レジスタに保存される。さらに、表示レジスタに保存されると、タイマー時間が演算表示部１２のタイマー表示エリア１２ｂに表示される。続いて、タイマー時間の入力後、「＝」キーを入力すると、タイマー時間の設定が終了し（ステップＳ２０８）、入力されたタイマー時間のデータがＲＡＭ３３のメモリレジスタに保存され（ステップＳ２０９）、制御部３１によるタイマー処理の実行が開始される。タイマー設定が終了していない場合は、引き続きステップＳ１０３でタイマー時間の入力を続ける。
【００３１】
このように、本実施の形態のタイマー設定の変更・解除処理は、演算モードの実行中であっても実行可能であり、操作性に優れている。尚、演算モードに復帰したい場合は、演算復帰ボタン１７ｂを選択することにより可能である。
【００３２】
続いて、タイマー処理について、図５に基づき説明する。
先ず、制御部３１は、タイマー時間を経過したか否かを判断する（ステップＳ３０１）。タイマー時間の終了の有無は、ＲＯＭ３２のメモリレジスタに記憶されているタイマー時間を読み出し、当該タイマー時間と経過時間を比較して、残り時間が０か否かにより判断する。残り時間が０の場合、タイマー時間は終了したと判断する。
【００３３】
次に、タイマー時間が終了している場合、制御部３１は、演算処理が実行中であるか否かを判断する（ステップＳ３０２）。演算処理が実行中である場合、制御部３１は、ＲＯＭ３２に格納されているタイマー処理割り込みプログラムを読み出し、当該プログラムを実行して演算処理を中止する（ステップＳ３０３）。
【００３４】
演算処理が中止された場合、又は演算処理そのものが実行中でなかった場合、制御部３１はアラーム音信号の発信を開始し、当該アラーム信号は増幅回路３４で増幅されてスピーカ３５よりアラーム音が出力される（ステップＳ３０４）。タイマー時間が終了していない場合、制御部３１はアラーム音信号の発信を行わず、スピーカ３５はアラーム音を出力することなく処理が終了する。
【００３５】
続いて、制御部３１は、アラーム音の出力停止が要求されているか否かを判断する（ステップＳ３０５）。本実施の形態に於いては、タイマー設定ボタン１７ａが選択されたか否かにより判断する。タイマー設定ボタン１７ａが選択された場合には、アラーム音の出力停止要求がなされたとして、制御部３１は、アラーム音信号の発信を停止する。これにより、スピーカ３５はアラーム音の出力を停止する（ステップＳ３０６）。さらに、制御部３１は、ＲＡＭ３３のメモリレジスタに記憶されているタイマー時間を消去する（ステップＳ３０７）。その一方、タイマー設定ボタン１７ａが選択されていない場合は、スピーカ３５よりアラーム音が出力され続ける。
【００３６】
尚、タイマー処理の実行中に、演算モードにおいて演算処理を行う場合に、演算データを全て消去（初期化）するための「Ｃ」（計算全クリアー）キーが押下された場合にも、当該タイマー処理は中止等の影響を受けることはない。
【００３７】
以上の様に、本実施の形態の電子式計算機１０によれば、演算処理と並行してタイマー処理を実行することが可能であるので、例えば、演算処理の実行中であっても、入力した演算式データや演算処理の演算結果を消失することなく、設定されたタイマー時間にアラーム音を出力させることができる。また、タイマーの動作中であっても、設定されたタイマー時間のデータを消失させることなく、演算処理を実行することができる。
【００３８】
さらに、本実施の形態の電子式計算機１０は、演算モードからタイマー設定モードに切り換えるためのタイマー設定ボタン（タイマー設定モード選択手段）１７ａを備えるので、演算処理の実行中であっても、入力した演算式データや演算処理の演算結果を失うことなく、数字入力キー群１３を用いて、タイマー時間の設定操作や変更・解除の操作を行うことができ、操作性に優れる。
【００３９】
また、本実施の形態の電子式計算機１０は、演算表示部１２のタイマー表示エリア１２ｂに、常時、タイマー時間やタイマーの残り時間を表示させることができるので、利便性にも優れる。
【符号の説明】
【００４０】
１０  電子式計算機
１１  キー入力部（入力手段）
１２  演算表示部
１２ａ  数字表示エリア
１２ｂ  タイマー表示エリア（タイマー表示部）
１２ｃ  演算子・ファンクション表示エリア
１３  数字入力キー群
１４  演算機能キー群
１５  メモリ機能キー群
１６  付加機能キー群
１７  タイマー機能キー群
１７ａ  タイマー設定ボタン
１７ｂ  演算復帰ボタン
１７ｃ  アラーム音選択ボタン
３１  制御部
３２  ＲＯＭ
３３  ＲＡＭ
３４  増幅回路
３５  スピーカ
【要約】
【課題】タイマー機能を実行させながら、並行して演算処理を行うことが可能なタイマー機能付き電子式計算機を提供する。
【解決手段】演算モード又はタイマー設定モードに切り換えるためのタイマー設定ボタン１７ａと、演算式データ又はタイマー時間データを入力するためのキー入力部１１と、演算式データの入力結果に基づき、演算処理を実行するための演算手段と、タイマー時間データの入力結果に基づき、独立してタイマー処理を実行するためのタイマー手段と、演算式データ及び演算結果を表示する演算表示部１２と、タイマー時間の経過後にアラーム音を発生させるスピーカ３５とを備え、タイマー手段は、演算モードにおいて、タイマー処理を独立して実行させ、かつ、タイマー時間の経過後にスピーカ３５にアラーム音を発生させるものであり、演算表示部１２には、タイマー時間及びタイマーの残り時間を表示するタイマー表示部が設けられている。
【選択図】  図１【図１】
0005914719.tif 000002
【図２】
0005914719.tif 000003
【図３】
0005914719.tif 000004
【図４】
0005914719.tif 000005
【図５】
0005914719.tif 000006